(57)【要約】      （修正有）【課題】極めて簡単に用いることができると共に連続的に対応でき、更には害虫の死骸を、衛生的に手および周囲を汚すことなく簡単に処理でき、且つコストの掛からない害虫駆除装置を提供する。【解決手段】グリップ部Ａを有した筐体１ａに粘着テープ１２を装着するホルダーと、害虫キャッチローラと、筐体１ａに片持ち支持された粘着テープ１２の巻取ホイール４と、巻取ホイール４に回転を与える駆動レバ６ーと、駆動レバー６と連動し、且つ巻取ホイール４へ巻取方向のみに回転力を伝達するクラッチ機構を有した駆動伝達機構とを配置し、巻取ホイール４の外周には巻取ホイール４と連動して回転し、巻取ホイール４から脱着可能な筒８を設け、ホルダーと巻取ホイール４との間に害虫キャッチローラを配置し、ホルダーと巻取ホイール４との間に粘着テープ１２を張設し、巻取って包み込むことにより害虫を封じ込め駆除する害虫駆除装置。【選択図】図１
2020048541.tif 000002
【特許請求の範囲】
【請求項１】
害虫を駆除するための害虫駆除装置であって、
グリップ部を有した筐体に、
粘着テープを装着するホルダーと、
該粘着テープで害虫を捕獲するキャッチローラと、
該筐体に片持ち支持された軸に嵌入された該粘着テープの巻取ホイールと、
該巻取ホイールに回転動作を与える駆動レバーと、
該駆動レバーと連動し且つ該巻取ホイールへ巻取方向のみに回転力を伝達するクラッチ機構を有した駆動伝達機構とを配置し、
さらに該巻取ホイールの外周には該巻取ホイールと連動して回転し該巻取ホイールから脱着可能な筒を設け、
該ホルダーと該巻取ホイールとの間に該害虫キャッチローラを配置し、
該害虫キャッチローラの円筒面との当接面を該粘着テープの基材とし、該巻取ホイールの円筒面との当接面を粘着剤側となるように該ホルダーと該巻取ホイールとの間で該粘着テープを張設し、
害虫を封じ込め駆除することを特徴とする害虫駆除装置。
【請求項２】
概ね楕円形の外周部を有し、該外周部には弾性体のリングを設け、軸孔には巻取方向のみに回転力を伝達するクラッチを圧嵌し、端面にはフランジを有した該巻取ホイールであり、該フランジおよび該フランジと対峙する該筐体の面のどちらか一方に強磁性体を設け、もう一方側には軟磁性体を備えた請求項１に記載の害虫駆除装置。
【請求項３】
該粘着テープを切断するカッタを搭載したことを特徴とする請求項１、２に記載の害虫駆除装置。
【発明の詳細な説明】
【技術分野】
【０００１】  本発明は、蚊、蝿、カメ虫、蜘蛛或いは蛾などの害虫類を捕獲するための害虫駆除装置に関するものである。
【背景技術】
【０００２】  蚊、蝿、カメ虫、クモ或いは蛾などの害虫類に関して、駆除するために各種の駆除装置が提案されている。例えば身近で経験のある駆除器具では、蝿、蚊、クモの駆除に際しては蝿叩きが多用されている。またカメ虫や蛾は、梱包用の粘着剤テープなどを使用した器具で捕獲し、テープを折り畳んで処理することが広く知られている。【０００３】  後者については特開２０００−１９７４４０号公報（特許文献１）に示すように、棒の先端に板を設け、その先にテープカッタを付け、板の裏面に弾性体を付け、手前側に粘着テープを設け、さらに該弾性体の側面又は該板の両端部に弾性体底面より出た位置に先端の曲がった板を設けた害虫駆除用具が提案され、駆除する害虫めがけ叩くように粘着テープをかぶせ、粘着テープにひっついた害虫を捕獲するものがあった。【０００４】  前記の害虫駆除用具は、粘着テープ面と床面との間で害虫の死骸の一部が飛散し床面が汚れという欠点があった。害虫の死骸が被着した粘着テープを手で用具から外し、折り畳み処理しなければならず、不衛生であり、処理する人に気持ちが悪いという感じを与えるという問題点があった。また、粘着テープをカットして頻繁に交換が必要で煩わしかった。【０００５】  さらに、別の害虫捕獲器として、特開２００９−２２５７４７号公報（特許文献２）に示すように、固定枠と、該固定枠に連結され該固定枠に対して折畳み自在である可動枠と、該固定枠と該可動枠との間に張設された粘着テープと、該固定枠に取り付けられている柄とを備え、該可動枠を該固定枠に対して折り畳むことにより害虫を包囲させて害虫を捕獲する害虫捕獲器であって、該固定枠と該柄とが任意に自動的に角度を調節できる板ばねを介して連結されているとともに、該固定枠と該可動枠との間に張設された粘着テープの上にゴム状帯が配設されていることを特徴とする害虫捕獲器が提案され、該柄を把持して害虫に向って該固定枠と該可動枠とを投ずると、該固定枠と該可動枠との間に張設された粘着テープに害虫が被着される。次いで該可動枠を折り畳み、該固定枠と該可動枠の間に害虫を包囲されて圧死されるものがあった。【０００６】  前記の害虫捕獲器は、粘着テープを都度カットして、該固定枠と該可動枠との間に張設させなければならないので、テープ交換時毎に実施しなければならず面倒であった。また、粘着テープの交換が頻繁に必要で煩わしかった。
【先行技術文献】
【特許文献】
【０００７】
【特許文献１】特開２０００−１９７４４０号公報
【特許文献２】特開２００９−２２５７４７号公報
【発明の概要】
【発明が解決しようとする課題】
【０００８】  そのために、次のような問題点があった。
（イ）従来から多用されている蝿叩きは、手軽に使用できることから最も多用されてきたものであるが、これはその平面部分で害虫を叩き潰すものであることから、経験からわかるように駆除後において該害虫がつぶれた状態でその場に張り付いてしまった。
（ロ）害虫駆除において、粘着テープを使用した器具では粘着テープの交換作業を頻繁にしなければならず面倒だった。また、連続的に駆除ができず、害虫発見時の駆除機会に駆除できない場合があった。
（ハ）粘着テープを被着させるこれまでの器具では、捕獲した害虫を粘着テープ交換までは粘着テープに包み込むことができず、捕獲直後に都度粘着テープに包み込んで害虫を封じ込めて衛生的に処理ができなかった。【０００９】  本発明は、これらの問題点を解決するためになされたものである。
【課題を解決するための手段】
【００１０】  害虫を駆除するための害虫駆除装置であって、グリップを有した携帯可能な大きさの筐体に、粘着テープを装着するホルダーと、該粘着テープで害虫を捕獲するキャッチローラと、該筐体に片持ち支持された軸に嵌入された該粘着テープの巻取ホイールと、該巻取ホイールに回転動作を与える駆動レバーと、該駆動レバーと連動し且つ該巻取ホイールへ巻取方向のみに回転力を伝達するクラッチ機構を有した駆動伝達機構を配置し、さらに該巻取ホイールの外周には該巻取ホイールと連動して回転し該巻取ホイールから脱着可能な筒を設け、該ホルダーと該巻取ホイールとの間に該害虫キャッチローラを配置し、該害虫キャッチローラの円筒面との当接面を該粘着テープの基材とし、該巻取ホイールの円筒面との当接面を粘着剤側となるように該ホルダーと該巻取ホイールとの間で該粘着テープを張設し、害虫を封じ込め駆除することを特徴とする害虫駆除装置を提供するものである。
【発明の効果】
【００１１】（イ）粘着テープを害虫に軽く押し当てて捕獲するため、害虫を叩き潰すこともなく、害虫がつぶれた状態でその場に張り付くこともなく周囲を汚さないで済む。
（ロ）従来使用されている粘着テープによる類似の捕獲方法であるが、粘着テープをカットして使用しなくとも、巻いたテープを繰り出して害虫を捕獲でき、捕獲後は直ちに粘着テープを巻き取り、包み込むことができる。したがって、粘着テープの新しい粘着部を常に繰り出して使用するため、従来のカットした粘着テープの交換を頻繁にする必要もない。
（ハ）粘着テープを害虫に軽く押し当てて捕獲し、更に害虫の動きを拘束したのち、直ぐに粘着テープで封じ込め、害虫が逃げ出す暇なく封じ込めることができることと、手で粘着テープの折り畳む必要もなく衛生的に処理ができる。
【図面の簡単な説明】
【００１２】
【図１】本発明に係る一形態における害虫駆除装置の斜視図
【図２】本発明に係る図１に示す害虫駆除装置の別角度の斜視図
【図３】本発明に係る図１に示す害虫駆除装置の断面図
【図４】本発明に係る一形態における粘着テープの巻取部の説明図
【図５】本発明に係る一形態における巻取ホイールを示す斜視図
【図６】本発明に係る一形態における害虫キャッチ部と巻取り部を示す断面図
【図７】本発明に係る一形態におけるカッタ搭載した場合の害虫駆除装置の斜視図
【図８】本発明に係る一形態におけるカッタ動作時を示す説明図
【図９】本発明に係る一形態における害虫駆除のイメージ図
【図１０】本発明に係る図９に示す害虫駆除の断面図
【発明を実施するための形態】
【００１３】  以下、図面を参照して本発明の実施の形態について説明する。
【００１４】  本発明に係る害虫駆除装置は、粘着テープ装着部１９、害虫キャッチ部２０、粘着テープ巻取部２１、および粘着テープ送り出し機構部２２から成る。
【００１５】  本発明に係る筐体１ａ、１ｂは、図１に示すようにグリップ部Ａと竿部Ｂから構成され、操作性、携帯性を考慮してＴ字形状としている。
【００１６】  該粘着テープ装着部１９は、図１、図２に示す両サイドの該筐体１ａ、１ｂに設けたそれぞれの軸溝１ｃにテープホルダー軸２を脱着できるようビス２ｂで固定し、該テープホルダー軸２に該粘着テープ１２の巻き芯を装着するものである。
【００１７】  該害虫キャッチ部２０は、図１、図２に示すように該粘着テープ装着部１９とは該筐体１ａ、１ｂの反対端面に設けてある。図６に示すように、該害虫キャッチ部２０は、ホルダー３ｂに嵌入されているキャッチローラ３ａと、軸３ｃおよび該筐体１ａ、１ｂと該軸３ｃとの固定用ビス３ｄから構成されている。該ホルダー３ｂに嵌入されている該キャッチローラ３ａは、該軸３ｃに回転自在に設けてある。該キャッチローラ３ａはスポンジ材質とし、捕獲時に虫の形状に習うように、また虫への押圧を小さくして潰さないようなに配慮した構造である。
【００１８】  該粘着テープ巻取部２１は、図４、図６に示すように該害虫キャッチ部２０のほぼ直下に配置してある。巻取軸５は、該筐体１ｂに片持ちで軸受１５を介して回転支持されている。図５は該巻取軸５に脱着可能なように嵌入されている巻取ホイール４を示したものである。該巻取ホイール４と該巻取軸５とは該巻取ホイール４の軸穴に設けてあるワンウエイクラッチ１７で連結されている。
【００１９】  さらに、該巻取ホイール４の該筐体１ｂ側端面のフランジ４ａには鉄製薄板リング１７が設けてある。一方、該フランジ４ａと対峙する該筐体１ｂの面には、該鉄製薄板リング１７の外径の内側に相当する位置にマグネッタ１４が少なくとも一個以上設けてある。該巻取ホイール４が該マグネット１４との回転位置に係わらず、該マグネット１４と該鉄製薄板リング１７との間の磁力により、一定の回転負荷を該巻取ホイール４に与えることができるため、該巻取軸５が復帰方向に回転する際に、該巻取ホイール４の復帰方向への連れ回りを防止すると共に、該巻取軸５の軸方向の抜け防止機能を兼ね備えている。
【００２０】  さらに、該巻取ホイール４は、円筒部４ｂを概ね楕円形状とし、該円筒部４ｂの両端部にはＯリング１８を固着してある。
【００２１】  図４に示すように、該巻取ホイール４の外周には該巻取ホイールの楕円形状に概略合わせた形状に成形した紙製の薄肉状筒８は、トイレットペーパー巻芯を使用し、該巻取ホイール４の軸方向から挿入され、取り外しが可能な構造である。該紙製の薄肉状筒８上で粘着テープ１２に被着した駆除した害虫を巻き付け、該紙製の薄肉状筒８を該巻取ホイール４から取り外してそのまま廃棄することができる。
【００２２】  本発明の実施形態では、該紙製の薄肉状筒８は、身近にあるトイレットペーパーの巻芯を使用している。該紙製の薄肉状筒８は、トイレットペーパーの巻芯以外でも対応することは当然ながら可能である。
【００２３】  粘着テープ送り出し機構部２２は、図３に示すように一端に支軸６ａを、他端にはストッパー６ｂを、さらに中央部には復帰ばね７を有し、筐体１ａ、１ｂの軸孔に該支軸６ａが嵌入され、予め設定された角度を往復回転可能なレバー６と、該レバー６と同心で回転支持された軸９ａを有したモジュール２、ピッチ円直径１３８ｍｍの駆動ギヤ９と、該駆動ギヤ９に噛み合うモジュール２、ピッチ円直径４６ｍｍの従動ギヤ１０とから成る。
【００２４】  該駆動ギヤ９は、レバー６と一体動作可能にビス９ｂで締結してある。さらに該従動ギヤ１０の軸孔には、該巻取軸５が挿入され固着されている。ギヤのかみ合い部は安全のためにギヤカバー１１で覆ってある。
【００２５】  また、図７はカッタ付の本発明の実施例です。該粘着剤テープ装着部１９と該害虫キャッチ部２０との間に搭載してある。カッタ１３は市販に販売されている鋸刃状のテープカッタを使用している。通常は該粘着テープ１２の走行に支障のないように格納してある。図８に示すように必要な時にカッタ１３を矢印２６の方向に起こして、矢印２７の方向にカットする。
本発明は、以上の構成よりなる害虫駆除装置である。
【００２６】  次に、以上のように構成された形態についての使用の一例を、図に基づいて説明する。
【００２７】  粘着テープ１２を図１に示す矢印２５方向に回転して繰り出せるように該ホルダー軸２に装着する。その際、テープの粘着剤１２ａは上面側になる。引き出した該粘着テープ１２を、該キャッチローラ３ａを介して該巻取ホイール４の外周に設けた該紙製の薄肉状筒８にテープ先端を貼る。以上で粘着テープのセットが完了する。該粘着テープ１２は、市販されているマスキングテープ、クラフト粘着テープ、ビニールテープ、ガムテープなどを想定している。テープ基材は、紙・布・ビニールなどであれば対応可能である。
【００２８】  次に、該レバー６を最大限引くと、連結された駆動ギヤ９が約２０度回転し、駆動ギヤ９と連結された従動ギヤ１０が約６０度回転する。これに伴って、該巻取軸５は該粘着テープ１２を繰り出し方向に約６０度回転する。さらに、該復帰ばね７によって該レバー６が復帰すると、該巻取軸５は逆回転し、元の位置に戻る。
【００２９】  該巻取ホイール４は、該巻取軸５上に設けたワンウエイクラッチ１７と連動して、粘着テープを繰り出し方向（図１に示す矢印２４方向）に約６０度回転し、該巻取軸５が復帰方向に回転時にはワンウエイクラッチ１７がＯＦＦとなりその位置で停止している。これによって、該レバー６を引く度に、該巻取ホイール４は間欠動作を繰り返して該粘着テープ１２を巻き取る。従って、該レバー６を６回引くと、該巻取ホイール４は１回転することになる。
【００３０】  該巻取ホイール４の該円筒部４ｂを楕円形状とすることと、円筒部の表面にＯリング１８を設けることで、該巻取ホイール４と紙製の薄肉状筒８との回転伝達の滑りを最小限に抑え、紙製の薄肉状筒８への回転を伝達させることが可能である。
【００３１】  該巻取ホイール４のフランジ４ａに設けた鉄製薄板リング１６と、該フランジ４ａと対峙するフレーム面に該鉄製薄板リング１６の外径の内側に相当する位置に設けたマグネット１４と磁力によって、該巻取ホイール４が回転中に巻取軸５方向に抜けないようにするととともに、該巻取ホイール４が容易に脱着できる構造として、該紙製の薄肉状筒８を取り外すし容易にできる。
【００３２】  図９は害虫駆除のイメージ図です。キャッチローラ３ａ上にある粘着テープ１２の粘着剤１２ａ部をターゲットの害虫２７に押し当てて、自由を奪って、レバー６を引いて粘着テープ１２を巻き取り、包み込むことにより害虫を封じ込め駆除するものである。
【００３３】  粘着テープ１２をある程度巻き取り嵩張ると、粘着テープ１２を図７に示すように該粘着剤テープ装着部１９と該害虫キャッチ部２０との間に搭載されたカッタ１３で、図８に示すようにカッタ１３を矢印２５の方向に起こした状態で矢印２６の方向にカットした上で、該紙製の薄肉状筒８を該巻取軸方向５に抜いて取り出す。該巻取ホイール４と一緒に装置本体から外し、そのあとで、該紙製の薄肉状筒８を該巻取ホイール４から外すことも可能である。
【００３４】  以上の説明の通り、本発明の害虫駆除装置は、害虫に軽く押し当てて、連続的に捕獲し、直後に巻取って包み込むことにより、捕獲した害虫を封じ込めて駆除することできる。該紙製の薄肉状筒８を該巻取ホイール４から簡単に外すことができ、手を汚すことなく巻き取ったテープを装置から衛生的に容易に取り出すことができる。
【００３５】  なお、本発明の一実施例につき説明したが、本発明は既述の実施例に限定されるものではなく、本発明の技術的思想に基づいて、各種の変形及び変更が可能であることは当然である。
【符号の説明】
【００３６】  １ａ、１ｂ  筐体
１ｃ  テープホルダー装着軸溝
２    テープホルダー軸
２ｂ  テープホルダー固定ビス
３ａ  キャッチローラ
３ｂ  ホルダー
３ｃ  軸
３ｄ  ビス
４    巻取ホイール
４ａ  巻取ホイールのフランジ
４ｂ  巻取ホイール円筒部
４ｃ  ワンウエイクラッチ止めねじ
５    巻取りホイール軸
６    レバー
６ａ  レバー支軸
６ｂ  レバーストッパー
７    復帰ばね
８    テープ巻取筒
９    駆動ギヤ
９ａ  駆動ギヤ支軸
９ｂ  駆動ギヤとレバーとの連結ビス
１０    従属ギヤ
１１    ギヤカバー
１２    粘着テープ
１２ａ  粘着剤
１２ｂ  テープ基材
１３    カッタ
１４    マグネット
１５    軸受
１６    鉄製薄板リング
１７    ワンウエイクラッチ
１８    Ｏリング
１９    粘着テープ装着部
２０    害虫キャッチ部
２１    粘着テープ巻取部
２２    粘着テープ送り出し機構部
２３    レバー動作方向を示す矢印
２４    巻取ホイールの回転方向を示す矢印
２５    粘着テープの引き出し方向を示す矢印
２６    カッタを動作位置に回転移動させる方向を示す矢印
２７    粘着テープをカットする方向を示す矢印
２８    害虫（模式）
Ａ      筐体のグリップ部
Ｂ      筐体の竿部
【図１】
2020048541.tif 000003
【図２】
2020048541.tif 000004
【図３】
2020048541.tif 000005
【図４】
2020048541.tif 000006
【図５】
2020048541.tif 000007
【図６】
2020048541.tif 000008
【図７】
2020048541.tif 000009
【図８】
2020048541.tif 000010
【図９】
2020048541.tif 000011
【図１０】
2020048541.tif 000012